(57)【要約】【課題】紙葉セットをセット毎に容易に取り外すことができ、かつ簡単な製造工程で得ることができる紙葉セット集積体を提供すること。【解決手段】複数枚の紙葉の一端部が接着剤Ａにより綴じられている紙葉群を１セットの紙葉セット１とし、複数のセットの紙葉セット１を丁合積層してなるセット集積体４の一端部の端面が接着剤Ｂにより紙葉セットの一端部よりも弱い力で綴じられている。【選択図】図２
0003126893.tif 000002
【実用新案登録請求の範囲】
【請求項１】
複数枚の紙葉の一端部が接着剤（A）により綴じられている紙葉群を１セットの紙葉セットとし、複数セットの紙葉セットを丁合集積してなるセット集積体の一端部の端面に接着剤（Ｂ）が設けられ、前記接着剤（Ｂ）により、セット集積体での紙葉セットの一端部同士が、該紙葉セットでの紙葉同士の綴じ力より弱い力で綴じられていることを特徴とする紙葉セット集積体。
【請求項２】
接着剤（B）がセット集積体の一端部の端面全体に設けられていることを特徴とする請求項１記載の紙葉セット集積体。
【請求項３】
接着剤（B）がセット集積体の一端部の端面に部分的に設けられていることを特徴とする請求項１記載の紙葉セット集積体。
【請求項４】
紙葉が伝票用紙であることを特徴とする請求項１〜３のいずれかに記載の紙葉セット集積体。
【考案の詳細な説明】
【技術分野】
【０００１】
本考案は、セット伝票のような紙葉の集積体に関するものである。
【背景技術】
【０００２】
セット伝票や各種手続に使用する紙葉類は、複写機能を有する上用紙、所要枚数の中用紙および下用紙を１セットとし、これを複数セット重ね合わせ、この重ね合わせた状態での一端部の端面を接着剤等によって綴じてなるものである。使用に際して、１セットごとに枚数を確認してから外し取って、手書きまたはプリンターやコンピューターで印字して出力する。１セットの枚数が多いほど確認に手間がかかる。また、必要とするセットをはずすときに、接着剤が外れて紙葉間にずれが生じて、複写印字にずれが生じることがある。さらに、必要とするセットを外すときに、余計ま枚数を外してしまう場合がある。
【０００３】
セット伝票のような紙葉セットの改良として、1セットずつその一端部の端面を糊で止めたものがあり、コンピューターの普及で盛んに使用されている。これはセットの枚数を確認する必要がないこと、手書きの場合でも下敷きが不要であるという利点を有している。しかし、これは１セットずつ分離しているので、他の種類の紙葉と混じらないように一緒にまとめておかなくてはならない。
【０００４】
このような従来品の改良として、一端部の端面で糊着して綴じた紙葉群（１セット）の最終紙葉の裏面の糊着け綴じ側に撥糊剤を塗布し、この紙葉群を多数重ね合わせて、糊着側の端面をさらに一括糊着けしたものが提案されている（例えば、特許文献１参照）。しかし、この方法によるときは、紙葉群端部の糊着、紙葉群の裏面の端部綴じ側への撥糊剤塗布、紙葉群の集積体の端部の一括糊着と、製造工程が複雑になるという問題がある。また紙葉群集積体の一端部の端面での一括糊着けのため、セットの境目の確認のために枚数確認が避けられない。
【特許文献１】特開昭４７−１７５１９号公報
【考案の開示】
【考案が解決しようとする課題】
【０００５】
本考案の課題は、上記のような従来技術の問題点を解決して、枚数の確認を要せずに１セットずつ容易に取り外すことができ、かつ簡単な製造工程で得ることができる紙葉セット集積体を提供することにある。
【課題を解決するための手段】
【０００６】
本考案の第１は、複数枚の紙葉の一端部が接着剤（A）により綴じられている紙葉群を１セットの紙葉セットとし、複数セットの紙葉セットを丁合集積してなるセット集積体の一端部の端面に接着剤（Ｂ）が設けられ、前記接着剤（Ｂ）により、セット集積体での紙葉セットの一端部同士が、該紙葉セットでの紙葉同士の綴じ力より弱い力で綴じられていることを特徴とする紙葉セット集積体に関するものである。
【０００７】
本考案の第２は、本考案の第１において、接着剤（B）がセット集積体の一端部の端面全体に設けられていることを特徴とする紙葉セット集積体に関するものである。
【０００８】
本考案の第３は、本考案の第１において、接着剤（B）がセット集積体の一端部の端面に部分的に設けられていることを特徴とする紙葉セット集積体に関するものである。
【０００９】
本考案の第4は、本考案の第１〜３のいずれかにおいて、紙葉が伝票用紙であることを特徴とする紙葉セット集積体に関するものである。
【考案の効果】
【００１０】
本考案の紙葉セット集積体は同じ種類の複数の紙葉セットを束ねてあるので種類の違う他の紙葉と混じることがない。また、個々の紙葉セットを構成する紙葉を綴じている綴じ力（接着剤Ａの接着力）よりも、各紙葉セットを束ねる綴じ力（接着剤Ｂの接着力）が弱いので、紙葉セット集積体から、各紙葉セットを構成する紙葉の分離やずれを伴うことなく、セット毎または必要セット数を容易に取り外すことができる。また、該紙葉セット集積体を製造する工程は、接着剤を用いるだけでよく、簡単であり経済的である。
【考案を実施するための最良の形態】
【００１１】
以下、図面にそって本考案の実施形態を説明する。以下の説明は紙葉として伝票用紙を用いた場合について説明する。図１は個別のセット伝票（紙葉セット）の構造を示すものである。１は個別のセット伝票である。２はセット伝票１を構成する複数枚の伝票用紙であり、上用紙、下用紙および所要により適宜枚数の中用紙からなっている。用紙として裏カーボン紙あるいはノンカーボン紙のいずれも好ましく使用できる。セット伝票１の一端部３ではその端面に接着剤Ａが設けられていて、この接着剤Ａによってセット伝票１の一端部３が綴じられている。
【００１２】
図２は、個別のセット伝票１を複数セット、たとえば２０〜１００セット、を丁合積層したセット集積体であるセット伝票集積体４を示していて、その一端部５ではその端面に接着剤Ｂが設けられ、この接着剤Ｂによってセット集積体での一端部が綴じられて一まとまりの紙葉セット集積体にしている。接着剤Ｂは図２（ａ）のように一端部５の端面全面に設けてもよいし、図２（ｂ）のように一端部５の端面に部分的に設けてもよい。図２（ｂ）には、断続的に接着剤Ｂを設けた例を示しているが、一箇所でもよい。
【００１３】
接着剤Ａと接着剤Ｂとしては、いずれもセット伝票等の用紙の一端部の端面に設けられて綴じるために使用されているものが好ましく使用できる。接着剤の種類としては、溶液タイプ、エマルジョンタイプ、ホットメルトタイプのいずれも使用できる。接着剤Ａとして、いわゆる感圧性接着剤あるいは粘着剤が使用できる。
接着剤を個別のセット伝票の一端部の端面およびセット伝票集積体の一端部の端面に施す方法としては、従来公知の浸漬法、塗布法等の糊付方法が好ましく使用できる。
【００１４】
セット伝票（紙葉セット）として、一端部の端面に接着剤を設け、この接着剤により一端部側で綴じられるものを示したが、本考案にあってはこれに限定されない。例えば、複数の伝票を印刷して、その伝票それぞれの端部綴じ部に相当する箇所に接着剤を塗布し、各伝票サイズに裁断して積層して該接着剤塗布部を重合して個別のセット伝票を製造することもできる。
【００１５】
本考案では、個別のセット伝票の一端部における伝票用紙間の綴じ力よりもセット伝票集積体の一端部における個別のセット伝票の一端部同士の間での綴じ力が弱い。すなわち、個別のセット伝票の用紙を分離する力よりも、セット伝票集積体から個別のセット伝票を分離する力が小さい関係にある。その方法として、接着剤Ａよりも接着剤Ｂの接着力が弱い２種類の接着剤を用いる方法がある。他の方法として、接着剤Ａによる綴じ力（分離力）と接着剤Ｂによる綴じ力（分離力）が異なるように、使用量によって綴じ力（分離力）に差を与える方法がある。また、これら２種類の方法を組合わせることもできる。
【００１６】
図２（ａ）（ｂ）に示すセット伝票１を使用するときには、該セット伝票集積体４の上部に横方向の力を僅かに加える程度で、一番上のセット伝票１がはずれる。また図２（ｂ）の場合は、セット伝票集積体４の一端部５の端面の接着剤の設けていない部分から１セットまたは必要なセット数を取り外す。
【産業上の利用可能性】
【００１７】
本考案は、セット伝票だけでなく各種手続に使用する書類にも適用できるものであり、使用者における取扱いを効率的かつ正確にするだけでなく、セット伝票等の紙葉セット集積体を製造する印刷業における工程の改良にも資するものである。
【図面の簡単な説明】
【００１８】
【図１】本考案に係る紙葉セット集積体の個別の紙葉セットの実施例としてセット伝票を示す図。
【図２】本考案に係る紙葉セット集積体の実施例を示すもので、（ａ）は図１のセット伝票を用いた一例、（ｂ）は同じく図１のセット伝票を用いた他例を示す図。
【符号の説明】
【００１９】
１  セット伝票
２  伝票用紙
３  セット伝票の一端部
４  セット伝票集積体
５  セット伝票集積体の一端部
Ａ  接着剤
Ｂ  接着剤
【図１】
0003126893.tif 000003
【図２】
0003126893.tif 000004